(57)【特許請求の範囲】
【請求項１】
ドアパネル、
前記ドアパネルの戸当たり側の端部から突出しているセーフティシュー、及び
前記ドアパネルと前記セーフティシューとを接続し、前記セーフティシューを前記ドアパネルの開閉方向に進退させ、前記セーフティシューが前記ドアパネルの開閉方向に進退するときに回転軸を中心として回転するリンク
を備えているエレベータのドア装置において、
前記リンクは、前記セーフティシューが押し込まれたときに、前記リンクに作用する力のモーメントを前記セーフティシューが押し込まれる方向に増加させ、前記ドアパネルが閉じる方向に加速した時に、前記リンクに作用する力のモーメントを前記セーフティシューが突出する方向に増加させるカウンターウェイトを備えている
エレベータのドア装置。
【請求項２】
前記カウンターウェイトは、前記回転軸について前記セーフティシューの反対側にある
請求項１に記載のエレベータのドア装置。
【請求項３】
ドアパネルと前記ドアパネルの戸当たり側の端部から突出しているセーフティシューとを接続し、前記セーフティシューを前記ドアパネルの開閉方向に進退させ、前記セーフティシューが前記ドアパネルの開閉方向に進退するときに回転軸を中心として回転するエレベータドアのリンクにおいて、
前記セーフティシューが押し込まれたときに、前記リンクに作用する力のモーメントを前記セーフティシューが押し込まれる方向に増加させ、前記ドアパネルが閉じる方向に加速した時に、前記リンクに作用する力のモーメントを前記セーフティシューが突出する方向に増加させるカウンターウェイトを備えている
エレベータドアのリンク。
【発明の詳細な説明】
【技術分野】
【０００１】
この発明は、ドアパネルに異物を検出するセーフティシューを備えているエレベータのドア装置、およびドアパネルとセーフティシューとを接続するエレベータドアのリンクに関するものである。
【背景技術】
【０００２】
従来から、エレベータのドア装置では、ドアパネルの戸当たり側の端部にセーフティシューと呼ばれる装置が取り付けられている。このセーフティシューは、通常時はドアパネルの戸当たり側の端部から突出しているが、エレベータのドアパネルが閉まる時に人、物などの異物が挟まれると押し込まれ、ドアパネルに異物が挟まったことを機械的に検出する。そして、異物を検出した場合には、制御装置によってエレベータのドアパネルが開くようなっている。【０００３】
従来、セーフティシューを突出した状態に戻すために、セーフティシューの自重によって移動前の位置に戻すようにするエレベータのドア装置が提案されている（例えば、特許文献１参照）。
【先行技術文献】
【特許文献】
【０００４】
【特許文献１】特開２０１４−１１８２９３号公報
【発明の概要】
【発明が解決しようとする課題】
【０００５】
しかし、特許文献１に示されている従来のエレベータのドア装置では、セーフティシューの自重によって、セーフティシューを移動前の位置に戻すようにしているものの、ペットのリード、紐などの異物が緩んだ状態で挟まった場合に、セーフティシューが押し込まれず、それらを機械的に検出できないことがあった。【０００６】
このように、機械的に挟まった紐が検出できない場合に、かごが移動してしまうと、事故に繋がる場合があり、挟まった紐を検出することが課題となっていた。【０００７】
この発明は、上記のような課題を解決するためになされたものであり、エレベータのドアに緩んだ紐などの異物が挟まった場合でも、セーフティシューによってそれらの異物をより確実に検出することができるエレベータのドア装置を得ることを目的とする。
【課題を解決するための手段】
【０００８】
この発明によるエレベータのドア装置は、ドアパネル、ドアパネルの戸当たり側の端部から突出しているセーフティシュー、及びドアパネルとセーフティシューとを接続し、セーフティシューをドアパネルの開閉方向に進退させ、セーフティシューがドアパネルの開閉方向に進退するときに回転軸を中心として回転するリンクを備えているエレベータのドア装置において、リンクは、セーフティシューが押し込まれたときに、リンクに作用する力のモーメントをセーフティシューが押し込まれる方向に増加させ、ドアパネルが閉じる方向に加速した時に、リンクに作用する力のモーメントをセーフティシューが突出する方向に増加させるカウンターウェイトを備えている。【０００９】
また、この発明によるエレベータドアのリンクは、ドアパネルとドアパネルの戸当たり側の端部から突出しているセーフティシューとを接続し、セーフティシューをドアパネルの開閉方向に進退させ、セーフティシューがドアパネルの開閉方向に進退するときに回転軸を中心として回転するエレベータドアのリンクにおいて、セーフティシューが押し込まれたときに、リンクに作用する力のモーメントをセーフティシューが押し込まれる方向に増加させ、ドアパネルが閉じる方向に加速した時に、リンクに作用する力のモーメントをセーフティシューが突出する方向に増加させるカウンターウェイトを備えている。
【発明の効果】
【００１０】
この発明によるエレベータのドア装置及びエレベータドアのリンクによれば、リンクが、セーフティシューが押し込まれたときに、リンクに作用する力のモーメントをセーフティシューが押し込まれる方向に増加させるカウンターウェイトを備えているため、小さい力でセーフティシューが押し込まれ、緩んだ紐などの異物がエレベータのドアに挟まった場合でも、異物を検出することができる。
【図面の簡単な説明】
【００１１】
【図１】この発明の実施の形態１によるエレベータのドア装置を備えているエレベータドアの基本構成を示す正面図である。
【図２】この発明の実施の形態１によるエレベータのドア装置のリンクを示した拡大図である。
【図３】セーフティシューが押し込まれた時に、リンクにどのような力及び力のモーメントが掛かるかを示す拡大図である。
【図４】ドアパネルが出入口を閉じる動作を行うときに、リンク及びセーフティシューにどのような力及び力のモーメントが掛かるかを示す拡大図である。
【発明を実施するための形態】
【００１２】
以下、この発明の実施の形態について図面を参照して説明する。
実施の形態１．
図１は、この発明の実施の形態１によるエレベータのドア装置の基本構成を示す正面図である。本実施の形態１によるエレベータのドア装置は、ドアパネル１、セーフティシュー２、リンク３、リンク４を備えている。
【００１３】
ドアパネル１は、エレベータのかごに取り付けられている。また、ドアパネル１は、かごに設けられた出入口の幅方向にスライドすることにより、かごに設けられた出入口を開閉する。ドアパネル１の戸当たり側の端部には、高さ方向に長いセーフティシュー２が、リンク３、リンク４を介して取り付けられている。
【００１４】
セーフティシュー２は、ドアパネル１が開閉中にドアパネル１の戸当たり側の端部から突出しており、ドアパネル１が閉まる時に、人、物などの異物に物理的に接触すると、ドアパネル１の内部に押し込まれる。このとき、リンク３、リンク４は、セーフティシュー２の移動に応じて回転する。これにより、後に説明するスイッチ８でセーフティシュー２が押し込まれたことが検出される。これにより、図示しない制御装置が挟み込んだ異物を検出してドアパネル１を開く。
【００１５】
図２は、この発明の実施の形態１によるエレベータのドア装置のリンク４を示した拡大図である。なお、図１に示すリンク３は、従来のリンクと同様であるため、説明を省略する。
【００１６】
本実施の形態１によるエレベータのドア装置のリンク４は、ブラケット６を介してドアパネル１に取り付けられている。また、リンク４は、ブラケット６に取り付けられた回転軸４１を中心として回転可能になっている。また、リンク４の一端はセーフティシュー２に接続されている。
【００１７】
リンク４は、ドアパネル１とセーフティシュー２とを接続し、セーフティシュー２をドアパネル１の開閉方向に進退させる。また、リンク４は、セーフティシュー２がドアパネル１の開閉方向に進退するときに、回転軸４１を中心として回転する。具体的には、リンク４は、異物を挟んだときにセーフティシュー２がドアパネル１の内部に押し込まれる方向へ回転軸４１を中心に回転し、ドアパネル１が通常状態で開閉しているときにセーフティシュー２が突出する方向へ回転軸４１を中心に回転する。
【００１８】
ブラケット６には、スイッチ８が取り付けられている。リンク４は、セーフティシュー２がドアパネル１から突出している状態において、スイッチ８と当接している。スイッチ８は、ドアパネル１が異物を挟み込んだかどうかを検出するためのものである。ドアパネル１が異物を挟み込んで、セーフティシュー２が押し込まれると、リンク４が回転してスイッチ８から離れ、スイッチ８が作動する。これにより、スイッチ８の検出信号が制御装置へ送られ、制御装置の制御によりドアパネル１が閉動作から開動作に反転する。なお、スイッチ８は、セーフティシュー２が押し込まれた時にリンク４と当接して作動するタイプのものであってもよい。
【００１９】
リンク４は、回転軸４１及びセーフティシュー２の間に連結されているリンク本体と、リンク本体に取り付けられているブラケット４３と、ブラケット４３に取り付けられているカウンターウェイト４２とを備えている。カウンターウェイト４２は、回転軸４１についてセーフティシュー２の反対側にある。また、カウンターウェイト４２は、回転軸４１の位置よりも低い位置にある。なお、本実施の形態１では、カウンターウェイト４２は、セーフティシュー２と同等の重さであるものとする。リンク４の下方に位置するリンク３の構成は、リンク４からカウンターウェイト４２、ブラケット４３を除いた構成となっている。また、本実施の形態１では、ブラケット４３がリンク本体にボルトで着脱可能に取り付けられている。なお、リンク本体、カウンターウェイト４２、及びブラケット４３は、単一部材としてもよい。
【００２０】
図３は、セーフティシュー２が押し込まれた時に、リンク４にどのような力及び力のモーメントが掛かるかを示す拡大図である。セーフティシュー２を押し込むには、回転軸４１回りの力のモーメント５１を図３において反時計回りにする必要がある。このため、カウンターウェイト４２が無い場合、セーフティシュー２を押し込む力５２は、セーフティシュー２の質量による荷重５３が発生する時計回りの力のモーメントよりも大きいモーメントが発生するような大きさでなければならない。
【００２１】
しかし、この発明の実施の形態１によるエレベータのドア装置では、リンク４にカウンターウェイト４２が備えられているため、カウンターウェイト４２の質量による荷重５４が発生する反時計回りの力のモーメントが、セーフティシュー２の質量による荷重５３が発生する時計回りの力のモーメントの一部を相殺する。従って、セーフティシュー２を押し込む力５２は、極めて小さくてよい。
【００２２】
このとき、カウンターウェイト４２は、リンク４に作用する力のモーメントをセーフティシュー２が押し込まれる方向に増加させている。これにより、セーフティシュー２を押し込む力５２を小さくすることができる。
【００２３】
なお、カウンターウェイト４２が無くてもセーフティシュー２の質量を軽くすることで、セーフティシュー２を押し込む力５２を小さくすることができるが、エレベータのドアの開閉時にセーフティシュー２が誤作動を起こすことがある。この場合について、図４を用いて説明する。
【００２４】
図４は、ドアパネル１が出入口を閉じる動作を行うときに、リンク４及びセーフティシュー２にどのような力及び力のモーメントが掛かるかを示す拡大図である。ドアパネル１の全開位置からドアパネル１を閉じ始める場合、ドアパネル１が閉じる方向に加速度が掛かり、セーフティシュー２は、それとは反対向きの慣性力６１を受ける。
【００２５】
カウンターウェイト４２を備えていない場合においてセーフティシュー２を軽くした場合、セーフティシュー２の質量による荷重５３が発生する図４における時計回りの力のモーメントが小さくなる。それに対し、セーフティシュー２が受ける慣性力６１が大きいと、それにより発生する反時計回りの力のモーメント６２が大きくなる。これにより、セーフティシュー２がドアパネル１に押し込まれ、誤作動を起こす可能性がある。
【００２６】
しかし、この発明のエレベータのドア装置では、リンク４がカウンターウェイト４２を備えているため、カウンターウェイト４２に慣性力６３が掛かり、図４において時計回りの力のモーメントが発生する。このモーメントが、セーフティシュー２が受ける慣性力６１が発生する反時計回りの力のモーメントの一部を相殺する。
【００２７】
このとき、カウンターウェイト４２は、リンク４に作用する力のモーメントをセーフティシュー２が突出する方向に増加させている。これにより、セーフティシュー２が押し込まれて、誤動作を起こすことを防止することができる。
【００２８】
本実施の形態１によるエレベータのドア装置によれば、リンク４が、セーフティシュー２が押し込まれたときに、リンク４に作用する力のモーメントをセーフティシュー２が押し込まれる方向に増加させるカウンターウェイト４２を備えているため、小さい力でセーフティシュー２が押し込まれ、緩んだ紐などの異物がエレベータのドアに挟まった場合でも、異物を検出することができる。
【００２９】
また、カウンターウェイト４２は、ドアパネル１が閉じる方向に加速した時に、リンク４に作用する力のモーメントをセーフティシュー２が突出する方向に増加させるため、エレベータのドアが閉じる時に慣性力によってセーフティシュー２が押し込まれることにより生じる誤動作を防止することができる。
【００３０】
また、既設のエレベータのドア装置のリンクにカウンターウェイト４２を追加するだけで、本実施の形態１によるリンク４を得ることができ、上記の効果を容易に得ることができる。
【００３１】
以上、この発明によるエレベータのドア装置について説明したが、発明の思想の範囲内において様々な変更が可能である。例えば、図１において、カウンターウェイト４２を備えたリンク４を下側に取り付けて、従来のリンクを上側に取り付けるようにしてもよい。また、図１において、カウンターウェイト４２を備えたリンク４を上下の両方に用いるようにしてもよい。さらに、図２のスイッチ８の位置は任意に変更することができる。また、ドアパネル１は、エレベータの乗りかご側とエレベータの乗場側の両方にあるが、図１に示すドアパネル１は、どちら側にも適用できる。また、エレベータドアには両開きタイプと片開きタイプがあるが、図１に示すドアパネルは、どちらのタイプにも適用できる。
【符号の説明】
【００３２】
１  ドアパネル、２  セーフティシュー、３  リンク、４  リンク、６  ブラケット、８  スイッチ、４１  回転軸、４２  カウンターウェイト、４３  ブラケット。
【図１】
0006723454.tif 000002
【図２】
0006723454.tif 000003
【図３】
0006723454.tif 000004
【図４】
0006723454.tif 000005